【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
Ｘ線を発生するＸ線管と、
前記Ｘ線管から発生されたＸ線を検出するＸ線検出器と、
前記Ｘ線管と前記Ｘ線検出器との間に保持され、被検体のための載置部分と前記被検体から採取された標本のための載置部分とを有する載置面と、
前記Ｘ線検出器及び前記載置面を支持する載置台支持機構と、
前記Ｘ線管を所定の回転軸回りに回動可能に支持するＸ線管支持機構と、
前記Ｘ線管から発生されたＸ線の立体角を限定するための照射野限定器と、
前記Ｘ線管から発生されたＸ線の前記載置面における照射野を、前記載置面における前記被検体のための載置部分と前記標本のための載置部分との間で選択的に切り替える切替部と、
を具備するＸ線診断装置。
【請求項２】
Ｘ線を発生するＸ線管と、
前記Ｘ線管から発生されたＸ線を検出するＸ線検出器と、
前記Ｘ線管と前記Ｘ線検出器との間に保持され、被検体のための載置部分と前記被検体から採取された標本のための載置部分とを有する載置面と、
前記Ｘ線検出器及び前記載置面を支持する載置台支持機構と、
前記Ｘ線管を所定の回転軸回りに回動可能に支持するＸ線管支持機構と、
を備え、
前記被検体のための載置部分に載置された前記被検体の撮影と、前記標本のための載置部分に載置された前記標本の撮影とを選択的に行うＸ線診断装置であって、
着脱可能な遮蔽部によって、前記標本の撮影において前記被検体をＸ線から保護するＸ線診断装置。
【請求項３】
前記載置面は、前記被検体のための載置部分と前記標本のための載置部分とを同一面上に有する、請求項１又は請求項２記載のＸ線診断装置。
【請求項４】
前記Ｘ線検出器からの出力信号に基づいてＸ線画像を発生する画像発生部をさらに備え、
前記切替部は、前記照射野を前記被検体のための載置部分に照準させている場合には、前記被検体のための載置部分を対象としたＸ線撮影を実行し、前記照射野を前記標本のための載置部分に照準させている場合には、前記標本のための載置部分を対象としたＸ線撮影を実行し、
前記画像発生部は、前記照射野を前記被検体のための載置部分に照準させている場合には、前記被検体のための載置部分に係るＸ線画像を発生し、前記照射野を前記標本のための載置部分に照準させている場合には、前記標本のための載置部分に係るＸ線画像を発生する、
請求項１記載のＸ線診断装置。
【請求項５】
前記切替部は、前記Ｘ線管支持機構によって支持される前記Ｘ線管の回転軸回りの角度及び前記照射野限定器の開口の大きさと形状を制御することにより、前記被検体のための載置部分と前記標本のための載置部分との間で前記照射野を選択的に切り替える、請求項１記載のＸ線診断装置。
【請求項６】
前記切替部は、検査者による切替え指示がなされたことを契機として、前記被検体のための載置部分と前記標本のための載置部分との間で前記照射野を選択的に切り替える、請求項１記載のＸ線診断装置。
【請求項７】
前記標本のための載置部分にかかる圧力を感知する感知部をさらに備え、
前記切替部は、前記感知部が所定の値以上の圧力を感知した場合、前記被検体のための載置部分と前記標本のための載置部分との間で前記照射野を選択的に切り替える、
請求項１記載のＸ線診断装置。
【請求項８】
Ｘ線撮影におけるＸ線条件を制御するＸ線制御部をさらに備え、
前記切替部は、前記Ｘ線制御部を制御して、前記照射野を前記被検体のための載置部分に照準させている場合と前記標本のための載置部分に照準させている場合とで、前記Ｘ線条件を切り替える、
請求項１記載のＸ線診断装置。
【請求項９】
前記切替部は、前記Ｘ線管支持機構と前記照射野限定器とを制御することにより、前記Ｘ線管から発生されたＸ線の前記載置面における照射野を、前記載置面における前記被検体のための載置部分と前記標本のための載置部分とを含む前記照射野に切り替える、請求項１記載のＸ線診断装置。
【請求項１０】
前記被検体のための載置部分に係るＸ線画像と前記標本のための載置部分に係るＸ線画像とでコントラストと解像度とのうち少なくとも１つに関して前記標本のための載置部分に係るＸ線画像の方が高くなるように画像処理の内容を切り替える画像処理部をさらに備える、請求項４記載のＸ線診断装置。
【請求項１１】
前記載置台支持機構によって支持された前記載置面に置かれた前記被検体から、前記標本を採取するための標本採取機構をさらに備える、請求項１記載のＸ線診断装置。
【請求項１２】
前記切替部は、前記照射野を前記被検体のための載置部分に照準させている場合、前記Ｘ線管支持機構を制御することにより、前記被検体を対象として２つの異なる角度でＸ線撮影を行うステレオ撮影を実行する、請求項１記載のＸ線診断装置。
【請求項１３】
前記被検体のための載置部分に係るＸ線画像と前記標本のための載置部分に係るＸ線画像とを、同一被検者のＤＩＣＯＭ画像として関連付ける関連付け部をさらに備える、請求項４記載のＸ線診断装置。
【請求項１４】
前記Ｘ線条件に基づいて、Ｘ線撮影中における積算被曝線量を計算する線量計算部をさらに備える、請求項８記載のＸ線診断装置。
【請求項１５】
前記積算被曝線量を表示する表示部をさらに備える、請求項１４記載のＸ線診断装置。
【請求項１６】
前記標本の体積を計算する体積計算部をさらに備える、請求項１記載のＸ線診断装置。
【請求項１７】
前記標本の体積を表示する表示部をさらに備える、請求項１６記載のＸ線診断装置。
【請求項１８】
入力部と、
前記入力部で入力された検査者の指示に基づいて、前記被検体のための載置部分を対象としたＸ線撮影によって発生されたＸ線画像の所定の範囲に、前記標本のための載置部分を対象としたＸ線撮影によって発生されたＸ線画像から標本領域を切り抜いた画像を重ねて表示する表示部と、をさらに備える、請求項１記載のＸ線診断装置。
【請求項１９】
前記所定の範囲は、前記被検体のための載置部分を対象としたＸ線撮影によって発生されたＸ線画像における乳房領域から離間した画素範囲に設定される、請求項１８記載のＸ線診断装置。
【請求項２０】
前記所定の範囲は、前記入力部で入力された検査者による指示によって変更される、請求項１９記載のＸ線診断装置。
【請求項２１】
前記ステレオ撮影により発生された複数のＸ線画像と前記標本のための載置部分を対象としたＸ線撮影によって発生されたＸ線画像とを、所定のレイアウトで表示する表示部をさらに具備する、請求項１２記載のＸ線診断装置。
【請求項２２】
前記Ｘ線検出器からの出力信号に基づいてＸ線画像を発生する画像発生部と、
Ｘ線撮影におけるＸ線条件を制御するＸ線制御部と、
画像処理部と、
前記載置台支持機構、前記Ｘ線管支持機構、前記照射野限定器を制御する駆動制御部と、をさらに備え、
前記切替部は、前記Ｘ線制御部及び前記駆動制御部を制御して、前記標本採取前にトモシンセシス撮影を実行し、前記画像発生部は複数のＸ線画像を発生し、
前記切替部は、前記Ｘ線制御部及び前記駆動制御部を制御して、前記標本採取後にトモシンセシス撮影を実行し、前記画像発生部は複数のＸ線画像を発生し、
前記画像処理部は、前記標本採取前のＸ線画像と前記標本採取後のＸ線画像とに画像処理を施し、採取対象の細胞が採取されたか否かを判定する、
請求項１記載のＸ線診断装置。
【請求項２３】
前記照射野を前記標本のための載置部分に照準させている場合における前記Ｘ線管から前記被検体へのＸ線を遮蔽するためのＸ線防護機構をさらに備える、請求項１記載のＸ線診断装置。
【請求項２４】
前記標本のための載置部分は第１標本載置部分と第２標本載置部分とを有し、前記第１標本載置部分及び前記第２標本載置部分は、前記被検体のための載置部分と離間して設けられる、請求項１記載のＸ線診断装置。
【請求項２５】
前記被検体は乳房である、請求項１記載のＸ線診断装置。